(57)【特許請求の範囲】
【請求項１】
取り決められたプロファイルにしたがって構成される、シーケンスが型の中で重合状態の添加剤と一つ以上のポリオールとを含む溶液と液体イソシアネートの混合物を意味する、化学量論ＯＨ／ＮＣＯ＝１である支持体シーケンスまたは支持体兼バリアシーケンス、薬用および治療用物質、美容用物質、健康機能物質、植物衛生物質、昆虫撃退剤、誘引物質、フェロモン、殺生物剤、香料、または防臭剤の中から選択される一つ以上の有効成分の化学量論ＯＨ／ＮＣＯ＝１である貯蔵部シーケンスおよび化学量論ＯＨ／ＮＣＯ＞１である貯蔵部兼粘着部シーケンス、および化学量論ＯＨ／ＮＣＯ＞１である粘着部シーケンスの機能を有する相次ぐシーケンスで構成される、液相の溶液を得るために可変成分の添加剤と一つ以上のポリオールとを含む溶液と液体イソシアネートとを混ぜ合わせることによって、次いで、二つのシーケンスの境界面に共重合を得るために、先のシーケンスの上に液相の溶液を流し込むのが前記先のシーケンスの重合が終わる前であることを確かめながら、シーケンスの連続を得るために前記液相の溶液を型の中に順を追って流し込むことによって得られるマトリックスを意味するシーケンスから成るモノポリマーで多機能な注入ポリウレタンマトリックスであって、構造的に単一性または連続性を有する前記マトリックスを構成する、境界面で共重合しているこれらの前記シーケンスから成ることを特徴とする、シーケンスから成るモノポリマーで多機能な注入ポリウレタンマトリックスの調製方法。
【請求項２】
各シーケンスの官能基数が、その生成に使用される添加剤と一つ以上のポリオールとを含む溶液の成分および添加剤と一つ以上のポリオールとを含む溶液と液体イソシアネートの混合物の化学量論の両方によって決定されることを特徴とする、請求項１に記載のマトリックスの調製方法。
【請求項３】
以下のプロファイルにしたがって共重合する機能的なシーケンスを呈することを特徴とする、請求項１または２に記載のマトリックスの調製方法：
Ａ）支持体／貯蔵部／粘着部、
Ｂ）貯蔵部１／支持体兼バリア／貯蔵部２兼粘着部、
Ｃ）支持体／貯蔵部兼粘着部、
Ｄ）貯蔵部／支持体兼バリア／粘着部、
Ｅ）支持体／貯蔵部１／貯蔵部２／粘着部、
Ｆ）支持体／貯蔵部１／貯蔵部２兼粘着部。
【請求項４】
１０ミクロンから１００ミクロンの薄いフィルムから、各シーケンスが異なる厚みを有することができる数センチの厚みのブロックポリマーまで展開する厚みを有することを特徴とする、請求項１から３のいずれか一つに記載のマトリックスの調製方法。
【請求項５】
「貯蔵部」シーケンスの厚みが、前記マトリックスの０．０１重量％と４０重量％の間で貯蔵するべき一つ以上の有効成分の量によって変わることを特徴とする、請求項１から４のいずれか一つに記載のマトリックスの調製方法。
【請求項６】
「貯蔵部」シーケンスの中に、皮膚透過性または揮発性の、天然由来または合成の有効成分を含有することを特徴とする、請求項１から５のいずれか一つに記載のマトリックスの調製方法。
【請求項７】
大気のおよび経皮の、異なる活性領域に属する複数の有効成分が、異なる「貯蔵部」シーケンスの中に含有されることを特徴とする、請求項１から６のいずれか一つに記載のマトリックスの調製方法。
【請求項８】
同じ活性領域に属する二つ以上の有効成分が、異なる「貯蔵部」シーケンスの中に含有されることを特徴とする、請求項１から６のいずれか一つに記載のマトリックスの調製方法。
【請求項９】
パッチ剤、織物支持体に貼付される取り替え可能なプラスター剤、靴用の有効成分入り踵敷きまたは有効成分入りパッド、昆虫の抑制用のフェロモン入りプレート、あるいはまた殺虫用の誘引粘着プレートの、デバイスの形状であることを特徴とする、請求項１から８のいずれか一つに記載のマトリックスの調製方法。
【請求項１０】
前記デバイスが、制御される仕方で単数または複数の有効成分を放出しながら、皮膚またはあらゆる他の表面に粘着することを特徴とする、請求項９に記載のマトリックスの調製方法。
【請求項１１】
請求項１から１０のいずれか一つによる、シーケンスから成るモノポリマーで多機能な室温で注入されるポリウレタンマトリックスの調製方法であって、以下の工程を含む方法：
ａ）今後のシーケンス１の機能に対応する触媒溶液、さまざまな添加剤、および必要があれば一つ以上の有効成分と、一つ以上のポリオールとを混合することにある、ポリオールの溶液１の調製、
ｂ）ａ）で得られるポリオールの溶液１を、今後のシーケンス１の機能に対応する化学量論に応じてイソシアネートと混合することにある、相の溶液１の調製、
ｃ）シーケンス１を前記シーケンス１の所望の厚みにしたがって得るための、型の中への前記相の溶液１の流し込み、
ｄ）今後のシーケンス２の機能に対応する触媒溶液、さまざまな添加剤、および必要があれば一つ以上の有効成分と、一つ以上のポリオールとを混合することにある、ポリオールの溶液２の調製、
ｅ）ｄ）で得られるポリオールの溶液２を、今後のシーケンス２の機能に対応する化学量論に応じてイソシアネートと混合することにある、相の溶液２の調製、
ｆ）二つのシーケンスの境界面での共重合を可能にするためにポットライフは超過したが型から取り出す時間にはまだ達していないシーケンス１の上に、シーケンス２を前記シーケンス２の所望の厚みにしたがって得るための、型の中への前記相の溶液２の流し込み、
ｇ）「ｎ」層のシーケンスを有する多機能なマトリックスを得るために工程ａ）からｆ）を繰り返すが、マトリックスの選択されるプロファイルに応じて最後および／または最初のシーケンスは、少なくとも粘着力のあるシーケンスであり、該少なくとも粘着力のあるシーケンスについて、ポリオールの溶液とイソシアネートの相の溶液は、化学量論が１を超える、
ｈ）型から取り出す時間つまりマトリックスの全体を型から取り出す時間までに最後のシーケンスの重合が終わらせられる、
ｉ）形成される、シーケンスから成るモノポリマーで多機能なマトリックスを、型から取り出す、
ｊ）封印され、気密であり、かつ不浸透性の袋の中への前記マトリックスの包装を行う。
【請求項１２】
主な重合反応材料が以下であることを特徴とする、請求項１１に記載の方法：
ａ）芳香族または脂肪族の構造の、少なくとも２の官能基数を有するイソシアネートの中から選択される、イソシアネート、
ｂ）ポリエステル、ポリエーテル、ポリチオエーテル、ポリアセタール、ポリエステルアミド、ポリカーボネート、もともとヒドロキシル基を含むまたは改質された植物油、またはそれらの混合物を主成分にした、長鎖または短鎖の、少なくとも２の官能基数を有するポリオールの中から選択される一つ以上のポリオール。
【請求項１３】
ポリオールを、イソシアネートとの反応性の同じ考察にしたがって、水による特定の条件下の、脂肪族または芳香族のポリエーテルアミンの中から選択される、少なくとも２のアミノ官能基数を有するポリアミンに替えることができることを特徴とする、請求項１１または１２に記載の方法。
【請求項１４】
以下のような、ポリオールの溶液の配合組成用の添加剤が、それぞれのシーケンスが果たすことになる機能のタイプ、および、形成されるべきデバイスの全体として所望される特徴にしたがって選択されることを特徴とする、請求項１１から１３のいずれか一つに記載の方法：
ａ）好ましくはビスマスである有機金属溶液または第三級アミン溶液の中から選択される、触媒、
ｂ）ポリシロキサンポリマー、メチルアルキルポリシロキサンポリマー、またはそれらの混合物の中から選択される、消泡剤、
ｃ）安息香酸エステル溶液、アルキルリン酸エステル、またはフタル酸エステルの中から選択される、可塑剤、
ｄ）低分子量の樹脂または不活性充填剤の中から選択される、防水剤、
ｅ）当業者に既知の中から選択される紫外線安定剤、およびその他の安定剤であって、その他の安定剤は、ＢＨＴ（ブチル化ヒドロキシトルエン）またはＢＨＡ（ブチルヒドロキシアニソール）タイプのフェノール系酸化防止剤、ピペリジン骨格を有するＨＡＬＳ（ヒンダードアミン系光安定剤（Ｈｉｎｄｅｒｅｄ  Ａｍｉｎｅ  Ｌｉｇｈｔ  Ｓｔａｂｉｌｉｚｅｒ））タイプの酸化還元反応を利用する酸化防止剤、亜リン酸塩系酸化防止剤、ホルムアミジン系酸化防止剤、ベンゾトリアゾール系酸化防止剤、ベンゾフェノン系酸化防止剤、またはそれらの混合物の中から選択される、
ｆ）ポリウレタンの着色剤。
【発明の詳細な説明】
【技術分野】
【０００１】
本発明は、シーケンスから成るモノポリマーで多機能な注入ポリウレタンマトリックスに関し、該マトリックスは、支持体機能、または支持体兼バリア機能、有効成分の貯蔵部機能、および粘着性機能を同時に果たすものであり、前記機能は、有効成分の分配デバイスを形成する前記マトリックスとなるために各相について明示されるさまざまな機能に相当する特徴を結果としてもたらす相に応じて配合組成が決められるポリマーの順を追った注入方法により得られるものである。
【背景技術】
【０００２】
例えば欧州特許第０３４１２０２号明細書および米国特許出願公開第２０１１／０３８９０４号明細書によって開示される、パッチ剤、プラスター剤、等々のような有効成分分配用マトリックスデバイスは、一般的に、以下のような極めて重要な三層で主に構成される層状構造である：
−支持体層または被覆層であって、一般的にポリエチレンテレフタレート（ＰＥＴ）、ポリプロピレン（ＰＰ）、ポリ塩化ビニル（ＰＶＣ）、ポリブチレンテレフタレート（ＰＢＴ）、ポリエチレン（ＰＥ）、エチレン酢酸ビニルコポリマー（ＥＶＡ）、あるいはまたポリウレタン（ＰＵ）でできた、有効成分を通さないポリマー製であり、該支持体層は、有効成分に対するバリアの代用となることもできる、
−貯蔵部層であって、中に有効成分が貯蔵されるが、該貯蔵部層は、ポリウレタン（ＰＵ）ゲル製で、このポリマーによってもたらされる有効成分の放出の規則性の利点を享受するか、ゼラチン、ポリビニルアルコール系重合体、メチルセルロース、またはブロックコポリマーの内の一つ、あるいはまた、有効成分を貯蔵して該有効成分を徐々に放出することができる他の網状ポリマー製であり得るものである。有効成分は、ポリマーの溶融（ホットメルト）によって、または欧州特許第１１６９０２５号明細書および欧州特許第０４１６８４２号明細書に記載されるような有機溶剤を用いた前記ポリマーの可溶化によって加えられる、
−粘着性層であって、数例を挙げるに過ぎないが欧州特許第１１６９０２５号明細書、欧州特許第０４１６８４２号明細書、欧州特許第０８３６５０６号明細書、欧州特許第０５６３５０７号明細書、および欧州特許第２３２４８５９号明細書によってさまざまに記載される、ポリシロキサン、ポリアクリレート、シリコーン、ビニルポリマー、酢酸ビニル、エチレン酢酸ビニルコポリマー、ポリイソブチレン、ポリウレタン、天然ガム、または天然および合成ゴムのような、粘着特性を有するポリマーから成るものであり、該物質は、所与の表面または皮膚にデバイスを固定することを可能にするものである。
【０００３】
そのようなデバイスの実現は、技術的に複雑である。すなわち、そのようなデバイスは、実際には実現するのが困難であるという不都合を呈するが、それは、使用するさまざまな材料の適合性、並びに実行するべき多数の技術的操作を考慮に入れなければならないからである。得られたデバイスの良好な働きは、さまざまなポリマーの層のそれぞれの特性に依り、該特性によって今度は、それらにあてがわれる機能が決まる（欧州特許第２１９１８１０号明細書）。各層は、個々の方法にしたがって、別々に準備されるが、このことにより、利用する道具も含めて、技術的操作および技術的制約が増えることになる。
【０００４】
ＰＥＴ、ＰＰ、ＰＶＣ、ＰＢＴ、ＰＥ、あるいはまたＥＶＡ製のフィルムである支持体は、エネルギーを消費する熱間押出し、または、環境影響を考慮してリサイクルまたは除去しなければならない溶剤における可溶化を必要とする。フィルムがポリウレタン製の場合、１から１０μｍの厚みの押出フィルムを記載する国際公開第２０１１／１３６３３０号、メルトブロー法によって得られるフィルムを利用する欧州特許出願公開第２３２４８０３号明細書が例として挙げられるが、一方、欧州特許出願公開第０２１２６８１号明細書は、化学線によるポリウレタンの溶解によって得られるフィルムを開示している。
【０００５】
貯蔵部がポリウレタン製である場合、貯蔵部は、一般的に、多層システムの中に取り付けられる前に個々に設計される。このように、欧州特許第１１６９０２５号明細書は、薬剤フェンタニルと４０℃から９０℃の間で混合される溶解したポリウレタン細粒から生成される貯蔵部層を含むデバイスを記載している。欧州特許第１６３４５６６号明細書は、ポリウレタンの構造そのものが親水性のエチレンオキシドセグメント並びに疎水性のプロピレンオキシドセグメントのグラフト化によって変更されビタミンＣがそこに加えられる貯蔵部を開示している。ここでもまた、大きなエネルギー消費は避けられない。さらに、ポリマーの加熱処理は、耐熱性のない有効成分の破壊または変性の一因となる。
【０００６】
粘着性層がポリウレタン製である場合、粘着性層は、欧州特許第２１９１８１０号明細書によって記載されるように、シリコーンまたはアルキルメタクリレートコポリマーの添加により設計される。これは、利用するさまざまな材料の分量において相当の正確さを必要とする追加の操作である。
【０００７】
多層システムに固有の難点を最少にするために、現実における傾向は、層状デバイスの層の数を減らすことにある。このように、貯蔵部兼粘着性層としての貯蔵部層の二重機能化が観察される。そうするために、ポリウレタンは、アクリルポリマーと関連づけられる（欧州特許第２００１４２４号明細書、欧州特許第２４３１４３７号明細書、欧州特許第１８７５８９８号明細書、欧州特許第２４１２３９０号明細書、欧州特許第０３４１２０２号明細書、米国特許第６７２７４０１号明細書）。欧州特許第１２６３８３０号明細書は、一方が分子量（ＭＷ）＜２０００、かつ他方がＭＷ＞２０００の二つのポリオールを利用して水性系から得られるＰＵ製の、粘着マトリックスを記載している。二つのポリオールの合計は、イソシアネートより多く、いわゆるサブインデックスポリウレタンが得られる。しかし、得られる粘着マトリックスは、７０℃で１０分間加熱することによってでしか、分散用基材に適用できない。
【０００８】
記載されるように一般に得られるポリウレタン製の粘着性層は、両面に非常に粘着力があり、このことにより、粘着面が一つしか必要でないときに、ポリビニルアルコール（ＰＶＡ）系重合体製またはエチレン酢酸ビニルコポリマー（ＥＶＡ）製のバリアフィルムで、前記粘着性層の他方の面を覆わなければならず、欧州特許出願公開第１６３４５６６号明細書によって記載されるような粘着力のない面が一つ提供される。
【０００９】
当業者には、ＰＵの粘着効果が、ここではＯＨ／ＮＣＯ比で表示される、イソシアネートと一つ以上のポリオールとの間の重合反応の化学量論に基づいて得られることが既知である。イソシアネートが過剰なときは、化学量論は１未満である。遊離ＮＣＯ基の反応によって変化する粘着効果を得ることができる。それに対して、一つ以上のポリオールのＯＨ基が過剰なときは、化学量論は１を超える。安定したまた有効な粘着効果が得られる。
【発明の概要】
【発明が解決しようとする課題】
【００１０】
有効成分分配用粘着デバイスを生成する複雑な層状構造の代わりとなる、モノポリマーで多機能な注入ポリウレタンマトリックスを得ることを可能にする新規の技術的設計を提供する必要性が大いに存在する。
【課題を解決するための手段】
【００１１】
本発明をよりよく理解するために、「シーケンスから成るモノポリマーで多機能な注入ポリウレタンマトリックス」とは、液相の溶液を得るために可変成分の液体ポリオール錯体と液体イソシアネートとを混ぜ合わせることによって、次いで、二つのシーケンスの境界面に共重合を得るために、先のシーケンスの上に相の溶液を流し込むのが前記先のシーケンスの重合が終わる前であることを確かめながら、シーケンスの連続を得るために前記相の溶液を型の中に順を追って流し込むことによって得られるマトリックスを意味する。
【００１２】
「ポリオール錯体」とは、さまざまな専門的な添加剤（触媒、延長剤、可塑剤、消泡剤、紫外線安定剤、等）を用いた、また必要があれば一つ以上の有効成分を伴う、一つ以上のポリオールの溶液を意味する。その成分は、重合するべきシーケンスのための所望の機能および特徴に従って変化する。
【００１３】
「相の溶液」とは、液体ポリオール錯体と液体イソシアネートの混合物を意味する。
【００１４】
「シーケンス」とは、型の中で重合状態の相の溶液を意味する。「シーケンス」は、ポリオール錯体の成分および相の溶液の化学量論の両方によって決定される。
【００１５】
「マトリックスのプロファイル」とは、マトリックスを構成するさまざまなシーケンスの連続の順番に従った構造を意味する。
【００１６】
「ポットライフ」とは、相の溶液から形成され始めるゲルの糸状の伸びによって特徴づけられる、重合の段階を意味する。ポットライフは、実験によって決定され、また時間の単位、一般的に秒で表示される。
【００１７】
「型から取り出す時間」とは、成型されたデバイスを損傷することなくポリマーマトリックスの型から取り出すことが可能になる重合の段階を意味する。型から取り出す時間は、実験によって決定され、また時間の単位で表示される。
【００１８】
本発明の目的のうちの一つは、マトリックスの特有のプロファイルを定義する機能化されるシーケンスの必要な配置にしたがって、支持体機能または支持体兼バリア機能、有効成分の貯蔵部機能、および粘着性機能を同時に果たす、シーケンスから成るモノポリマーで多機能な注入ポリウレタンマトリックスを実現することである。
【００１９】
出願人は、驚くべきことに、そのようなマトリックスを、取り決められた順番にしたがって相の溶液を交互に固化して、かつ流し込みが行われているシーケンスの先のシーケンスの重合の変化の段階（ポットライフの後で、しかも型から取り出す時間の前）を尊重しながら、イソシアネートとポリオール錯体のさまざまな相の溶液を相次いで型の中に順を追って流し込んで、終わりに、最後の相の溶液を流し込んでその型から取り出す時間まで進行させて、こうしてマトリックスの全体の重合を完了させることによって、単純で効果的な仕方で得ることができることを発見した。
【００２０】
本発明の一つの態様によると、シーケンスから成るモノポリマーで多機能な注入ポリウレタンマトリックスは、相次ぐ機能的なシーケンスの境界面に共重合の状態によって保証される構造的な単一性または連続性を呈する。
【００２１】
本発明によるマトリックスは、その「貯蔵部」シーケンスの中に、皮膚透過性または揮発性の、天然由来または合成の有効成分を含有する。本発明にしたがって利用される前記有効成分は、薬用および治療用物質、美容用物質、健康機能物質、植物衛生物質、昆虫撃退剤、誘引物質、フェロモン、殺生物剤、香料、または防臭剤である。
【００２２】
本発明による実施形態によると、一つ以上の有効成分は、シーケンスから成るモノポリマーで多機能な注入ポリウレタンマトリックスの０．０１重量％と４０重量％の間に相当する。
【００２３】
すなわち、本発明によると、同じマトリックスが、異なる性質を有し、異なる活性領域に属し、また同じ方向かあるいは反対方向かに作用することができる、複数の有効成分を含むことができる。例えば、大気活性領域の、鎮静作用のある香料は、同じマトリックスにおいて、経皮活性領域の、鎮痛作用のある薬用有効成分と組み合わせられることができる。二つの有効成分は、異なる「貯蔵部」シーケンスの中に含有される。
【００２４】
同様に、本発明の一つの実施形態において、同じマトリックスにおいて異なる「貯蔵部」シーケンスの中に含有される、同じ活性領域に属する二つ以上の有効成分は、単一方向ではあるが異なる速度と流量で作用することができる。
【００２５】
本発明による前記マトリックスは、制御される仕方で単数または複数の有効成分を放出しながら、皮膚またはあらゆる他の表面に粘着するさまざまなデバイスの成形に直接に使用されることができる。
【００２６】
本発明による前記デバイスは、パッチ剤、単一方向または反対方向（例えば皮膚の方と大気の方）に作用する複数の有効成分を伴うパッチ剤、織物支持体（装具、包帯、下着）に貼付される取替え可能なプラスター剤、靴用の有効成分入り踵敷きおよび有効成分入りパッド、昆虫の抑制用のフェロモン入りプレート、殺虫用の誘引粘着プレート、または構造および機能という観点から同等である他のデバイスであることができる。
【００２７】
このために、本発明によるシーケンスから成るモノポリマーで多機能な注入ポリウレタンマトリックスは、１０ミクロンから１００ミクロンの薄いフィルムから、各シーケンスが異なる厚みを有することができる数センチの厚みのブロックポリマーまで展開する厚みを有する。例えば貯蔵部シーケンスの厚みは、貯蔵するべき一つ以上の有効成分の量および所望の作用の持続時間によって変わることになる。
【００２８】
本発明の別の目的は、シーケンスから成るモノポリマーで多機能な注入ポリウレタンマトリックスの生成方法を提供することである。
【００２９】
このように、本発明によると、シーケンスから成るモノポリマーで多機能な注入ポリウレタンマトリックスの室温での調製方法は、以下の工程を含む：
ａ）今後のシーケンス１の機能に対応するさまざまな添加剤の溶液および必要があれば一つ以上の有効成分と、一つ以上のポリオールとを混合することにある、ポリオール錯体１の調製、
ｂ）ａ）で得られるポリオール錯体１を、今後のシーケンス１の機能に対応する化学量論に応じてイソシアネートと混合することにある、相の溶液１の調製、
ｃ）シーケンス１を前記シーケンス１の所望の厚みにしたがって得るための、型の中への前記相の溶液１の流し込み、
ｄ）今後のシーケンス２の機能に対応するさまざまな添加剤の溶液および必要があれば一つ以上の有効成分と、一つ以上のポリオールとを混合することにある、ポリオール錯体２の調製、
ｅ）ｄ）で得られるポリオール錯体２を、今後のシーケンス２の機能に対応する化学量論に応じてイソシアネートと混合することにある、相の溶液２の調製、
ｆ）二つのシーケンスの境界面での共重合を可能にするためにポットライフは超過したが型から取り出す時間には達していないシーケンス１の上に、シーケンス２を前記シーケンス２の所望の厚みにしたがって得るための、型の中への相の溶液２の流し込み、
ｇ）「ｎ」層のシーケンスを有する多機能な注入ポリウレタンマトリックスを得るために工程ａ）からｆ）を繰り返すが、マトリックスの選択されるプロファイルに応じて最後および／または最初のシーケンスは、少なくとも粘着力のあるシーケンスであり、該少なくとも粘着力のあるシーケンスにおいて、ポリオール錯体とイソシアネートの相の溶液は、化学量論が１を超える、
ｈ）型から取り出す時間つまりマトリックスの全体を型から取り出す時間までに最後のシーケンスの重合が終わらせられる、
ｉ）形成される、シーケンスから成るモノポリマーで多機能なマトリックスを、型から取り出す、
ｊ）封印され、気密であり、かつ不浸透性の袋の中への前記マトリックスの包装を行う。
【００３０】
本発明の方法によると、重合の最中のシーケンスの表面は、まだ自由な反応性の高いラジカルを与え、該ラジカルと、流し込み中に相の溶液によって所与のラジカルが直ちに反応し、前記相の溶液が今度は一つのシーケンスを作り出すために重合する時に、この境界面に共重合を生成する。前記シーケンスは、このように、先のシーケンスと共に全体を形成することになるが、だからといって二つのシーケンスの相互浸透はない。シーケンスから成るモノポリマーで多機能な注入ポリウレタンマトリックスの連続性つまり単一性は、相次ぐ機能的なシーケンスの、重合の途中のそれらの接触境界面での共重合の現象が条件となる。
【００３１】
本発明の一つの実施形態によると、支持体シーケンスは、一つ以上の低分子量樹脂および／または不活性充填剤の添加によって、有効成分に対する支持体兼バリアになるように防水処理を施されることができる。
【００３２】
より正確には、本発明によると、シーケンスから成るモノポリマーで多機能な注入ポリウレタンマトリックスの生成方法は、以下のような主な重合反応材料を用いて実現可能である：
ａ）芳香族または脂肪族の構造の、少なくとも２の官能基数を有するイソシアネートの中から選択される、イソシアネート、
ｂ）ポリエステル、ポリエーテル、ポリチオエーテル、ポリアセタール、ポリカーボネート、ポリエステルアミド、もともとヒドロキシル基を含むまたは改質された植物油、またはそれらの混合物を主成分にした、推奨的には長鎖で場合に応じて短鎖の、少なくとも２のヒドロキシル官能基数を有するポリオールの中から選択される一つ以上のポリオール。ポリオールを、イソシアネートとの反応性の同じ考察にしたがって、水による特定の条件下の、脂肪族または芳香族のポリエーテルアミンの中から選択される、少なくとも２のアミノ官能基数を有するポリアミンに替えることができる。
【００３３】
以下のような、本発明によるポリオール錯体の配合組成用の添加剤は、それぞれのシーケンスが果たすことになる機能のタイプ、および、形成されるべきデバイスの全体として所望される特徴にしたがって選択される：
ａ）好ましくはビスマスである有機金属溶液または第三級アミン溶液の中から選択される、触媒、
ｂ）ポリシロキサンポリマー、メチルアルキルポリシロキサンポリマー、またはそれらの混合物の中から選択される、消泡剤、
ｃ）安息香酸エステル溶液、アルキルリン酸エステル、並びに当業者に既知の物質の中から選択される、可塑剤、
ｄ）好ましくはケイ酸質系の、不活性充填剤または低分子量の樹脂の中から選択される、防水剤、
ｅ）当業者に既知の中から選択される紫外線安定剤、および、ＢＨＴ（ブチル化ヒドロキシトルエン）またはＢＨＡ（ブチルヒドロキシアニソール）タイプのフェノール系酸化防止剤、ピペリジン骨格を有するＨＡＬＳ（ヒンダードアミン系光安定剤（Ｈｉｎｄｅｒｅｄ  Ａｍｉｎｅ  Ｌｉｇｈｔ  Ｓｔａｂｉｌｉｚｅｒ））タイプの酸化還元反応を利用する酸化防止剤、亜リン酸塩系酸化防止剤、ホルムアミジン系酸化防止剤、ベンゾトリアゾール系酸化防止剤、ベンゾフェノン系酸化防止剤、またはそれらの混合物の中から選択される、その他の安定剤、
ｆ）当業者に既知のポリウレタンの着色剤。
【００３４】
本発明の一つの実施形態によると、シーケンスから成るモノポリマーで多機能な注入ポリウレタンマトリックスは、とりわけ以下のケースにおいて、有効成分の放出の制御の優れたコントロールを可能にするプロファイルを得るための、機能的なシーケンスの組合わせの複数の可能性を呈している：
Ａ）支持体／貯蔵部／粘着部であって、貯蔵部シーケンスの中にある有効成分が、粘着部シーケンスを貫通して例えば経皮放出されるようになっている、
Ｂ）貯蔵部１／支持体兼バリア／貯蔵部２兼粘着部であって、二つの異なる有効成分用である：貯蔵部１の有効成分は、揮発性による大気中への放出を目的としており、一方、貯蔵部２の有効成分は、経皮法による放出を目的としている、
Ｃ）支持体／貯蔵部兼粘着部であって、経皮法によって急速に放出されるための有効成分用である、
Ｄ）貯蔵部／支持体兼バリア／粘着部であって、大気中に放出されるためであって皮膚に接触するべきものではない揮発性有効成分用である、
Ｅ）支持体／貯蔵部１／貯蔵部２／粘着部であって、それぞれ貯蔵部１のシーケンスおよび貯蔵部２のシーケンスの中にあり、経皮法による異なる放出速度と流量を有する、異なる二つの有効成分用である、
Ｆ）支持体／貯蔵部１／貯蔵部２兼粘着部であって、それぞれ貯蔵部１のシーケンスおよび貯蔵部２兼粘着部のシーケンスの中にあり、経皮法による異なる放出速度と流量を有し、しかも貯蔵部２兼粘着部の有効成分の放出加速度が大きい、異なる二つの有効成分用である。
【００３５】
本発明による方法は、以下のような技術的利点をもたらす：
ａ）前記マトリックスのさまざまなプロファイルの実現の単純化、
ｂ）デバイスの製造の押出し自動化についての大きな可能性、
ｃ）デバイスの形状、またしたがって利用法についての大きな可能性、
ｄ）力学的なおよび有効成分の官能基数の調整ついての大きな可能性、
ｅ）室温での処理による有効成分の質の保護、
ｆ）溶剤がないことによる、自然保護および溶剤除去用エネルギーの節約、
ｇ）天然由来または合成であり、親油性物質用にもなり親水性物質用にもなる、注入ポリウレタンの大きな貯蔵容量により利用可能な幅広い種類の有効成分。
【００３６】
本発明による方法を実施することを可能にする注入機は、一つはポリオール錯体用でもう一つはイソシアネート用である二つのタンクから少なくともなるが、該二つのタンクは、流量調整用装置と、所望のデバイスの成形のための重合用型の中に液相の溶液を分配することを可能にする混合機の方に低圧で液体を押し出すシステムとを備えている。
【００３７】
本発明の直接工業化可能な形態によると、シーケンスから成るモノポリマーで多機能な注入ポリウレタンマトリックス製のデバイスの製造は、特徴（製造能力、液体タンクの数、液体の流出流量、液体の押出圧力、タンクに応じた液体の押出し順序、タービンの外形、単数または複数の型の性質）が当業者によって適合されまた電子監視装置が備わっている注入機において実現される。
【発明を実施するための形態】
【００３８】
以下の実施例は、完全にではなく、構造および機能という観点から同等であるデバイスに及ぶ範囲を制限することなしに、本発明を説明するのに役立つ。
【実施例１】
【００３９】
「支持体／貯蔵部兼粘着部」のプロファイルを有するマトリックス製の鎮痛粘着パッチ剤
【００４０】
支持体シーケンスと鎮痛有効成分を含有する貯蔵部兼粘着部シーケンスとである相次ぐ二つのシーケンスで構成されるマトリックスプロファイルを有し、パッチ剤のただ一面だけに粘着性機能をもたらす、有効成分を含むモノポリマーのマトリックスの生成用。
【００４１】
そのために以下を利用することができる：
−エーテルを主成分にした長鎖ポリオール、より正確にはＭＷ＝４８００で官能基数３のポリプロピレングリコール（ＰＰＧ）。このポリオールは、ＲＥＰＳＯＬ社によって製造され、ＡＬＣＵＰＯＬ（登録商標）Ｃ−３５３１のブランド名で販売されている、
−ＳＵＰＲＡＳＥＣ（登録商標）２０２９のブランド名でＨＵＮＴＳＭＡＮ社によって販売されている、ＭＷ＝３４４でＮＣＯ含有率＝２４.４％を呈する４，４’−メチレンジフェニルジイソシアネート（ＭＤＩ）タイプの芳香族ジイソシアネート、
−ＢＹＫ  ＣＨＥＭＩＥ社によって製造されＢＹＫ  ０８８のブランド名で販売されている、ポリマーとポリシロキサンの溶液である消泡剤、
−ＢＥＮＺＯＦＬＥＸ（登録商標）９−８８ＳＧのブランド名でＶＥＬＳＩＣＯＬ社によって販売されている、安息香酸エステルの混合物である可塑剤、
−ＢＩＣＡＴ（登録商標）８１２４Ｍのブランド名でＳＨＥＰＨＥＲＤ社によって販売されている、ネオデカン酸ビスマス錯体である触媒剤、
−ＩＮＴＥＲＡＸＩＯＮ社によって販売されている、鎮痛作用のある精油の混合物。
【００４２】
次の設備を利用することができる：
−１リットルの開放型円筒形反応装置、
−端部に直径６ｃｍの円盤が配置され、長さ２５ｃｍの軸を備える金属製攪拌装置。撹拌装置は、可変速モータによって駆動する、
−窪みが７ｃｍ×５ｃｍの面および５ｍｍの深さの開かれた平行六面体である、ポリプロピレン（ＰＰ）製の型。
【００４３】
操作方法：全ての操作が室温で実現される。
【００４４】
Ａ）化学量論ＯＨ／ＮＣＯ＝１の「支持体」の相の溶液の調製
○５％のＢＩＣＡＴ（登録商標）８１２４Ｍの溶液を可塑剤に注ぐことによって触媒を調製する。
○反応装置の中に相次いで以下を導入する：
‐３．０６重量部の触媒溶液、
‐１．２４重量部の消泡剤および
‐８６．４２重量部の長鎖ポリオール。
○全てを１３００回転／分で３０秒間撹拌する。ポリオール錯体が得られる、
○前記ポリオール錯体の中に、化学量論ＯＨ／ＮＣＯ＝１にしたがって９．２７重量部のイソシアネートを添加し、相の溶液を得るために１３００回転／分で３０秒間撹拌する、
○得られる前記相の溶液を型の中に１ｍｍの厚みに流し込み、「支持体」シーケンスとなるように重合反応させる。
【００４５】
Ｂ）化学量論ＯＨ／ＮＣＯ＝１.６の「貯蔵部兼粘着部」の相の溶液の調製
○操作Ａ）に平行して、反応装置の中で以下を組み合わせることによってポリオール錯体を変更する：
‐２．５５重量部の触媒溶液、
‐１．０３重量部の消泡剤、
‐１６．８６重量部の鎮痛作用のある精油の混合物、いわゆる有効成分、および
‐７４．５６重量部の操作Ａ）の長鎖ポリオール。
○１３００回転／分で３０秒間撹拌する。鎮痛作用のある有効成分を含有したポリオール錯体が得られる、
○有効成分を含有した得られる前記ポリオール錯体の中に、化学量論ＯＨ／ＮＣＯ＝１.６にしたがって４．９９重量部のイソシアネートを添加し、１３００回転／分で３０秒間撹拌する。有効成分を含有した相の溶液が得られる、
○前記相の溶液を、「ポットライフ」は超過したが型から取り出す時間には達していない、つまりまだ重合の最中である「支持体」シーケンスの上に、１ｍｍの厚みに流し込む、
○「貯蔵部兼粘着部」シーケンスとなるように重合を続行させる、
○このように得られるパッチ剤は、最後の「貯蔵部兼粘着部」シーケンスを型から取り出す時間になったときに、型から取り出される。
【００４６】
得られるパッチ剤は、２ｍｍの厚みであり、「貯蔵部兼粘着部」シーケンスの面では非常に柔軟且つ粘着力があり、また「支持体」シーケンスの面では粘着力がない。前記粘着パッチ剤は、筋肉痛の治療を目的としている。該粘着パッチ剤は、皮膚の上に直接貼付される。
【実施例２】
【００４７】
「貯蔵部兼支持体／粘着部」のプロファイルを有するマトリックス製の鎮静作用のある粘着プラスター剤
【００４８】
この実施例は、鎮静作用のある有効成分を含有する貯蔵部兼支持体シーケンスと粘着部シーケンスとである相次ぐ二つのシーケンスで構成されるマトリックスプロファイルにしたがった、プラスター剤のただ一面だけに粘着性機能をもたらす、有効成分を含むモノポリマーのマトリックスの生成を示している。
【００４９】
−実施例１のイソシアネートおよび長鎖ポリオールに、ＭＷ＝２０００で官能基数２の、エーテルを主成分にした別の長鎖ポリオール（ＰＰＧ）を加える。この長鎖ポリオールもまたＲＥＰＳＯＬ社によって製造され、またＡＬＣＵＰＯＬ（登録商標）Ｄ−２０２１のブランド名で販売されている。
【００５０】
−ホルムアミジンの混合物を含みまたＺＩＣＡ−ＣＵＶ（登録商標）のブランド名でＺＩＫＯ社によって販売されている安定剤、ならびにＥＬＩＳＩＡ（登録商標）＋のブランド名でＲＯＢＥＲＴＥＴ社によって販売されている鎮静作用のある香料もまた利用することができる。
【００５１】
実施例１において利用されるのと同じ設備、および、窪みが１４ｃｍ×１０ｃｍの面および５ｍｍの深さの開かれた平行六面体である型を利用することができる。
【００５２】
操作方法：実施例１の操作方法に類似した操作方法にしたがって行われ、また触媒溶液は、実施例１におけるように調製される。
【００５３】
Ａ）−化学量論ＯＨ／ＮＣＯ＝１の「貯蔵部兼支持体」の相の溶液の調製
○反応装置の中に相次いで以下を導入する：
‐２.９７重量部の触媒溶液、
‐０．１５重量部の安定剤、
‐１．０２重量部の消泡剤、
‐３．０６重量部の鎮静作用のある香料、いわゆる有効成分、
‐４９．８４重量部の長鎖ポリオール（ＡＬＣＵＰＯＬ（登録商標）Ｃ−３１３５）および
‐３１．０９重量部の長鎖ポリオール（ＡＬＣＵＰＯＬ（登録商標）Ｄ−２０２１）
○全てを１３００回転／分で３０秒間撹拌する。鎮静作用のある有効成分を含有するポリオール錯体が得られる、
○このように得られる前記ポリオール錯体の中に、化学量論ＯＨ／ＮＣＯ＝１にしたがって１１．８７重量部のイソシアネートを添加し、１３００回転／分で３０秒間撹拌する。有効成分を含有する相の溶液が得られる、
○得られる前記相の溶液を型の中に１ｍｍの厚みに流し込み、「貯蔵部兼支持体」シーケンスとなるように重合反応させる。
【００５４】
Ｂ）化学量論ＯＨ／ＮＣＯ＝１.４の「粘着部」の相の溶液の調製
○操作Ａ）に平行して、反応装置の中で以下を組み合わせることによってポリオール錯体を変更する：
‐３.０６重量部の触媒溶液、
‐０．１６重量部の安定剤、
‐１．０６重量部の消泡剤、
‐５３．５４重量部の操作Ａ）の長鎖ポリオール（ＡＬＣＵＰＯＬ（登録商標）Ｃ−３５３１）および
‐３３．８３重量部の操作Ａ）の長鎖ポリオール（ＡＬＣＵＰＯＬ（登録商標）Ｄ−２０２１）。
○１３００回転／分で３０秒間撹拌する。ポリオール錯体が得られる、
○得られる前記ポリオール錯体の中に、化学量論ＯＨ／ＮＣＯ＝１.４にしたがって８．２５重量部のイソシアネートを添加し、１３００回転／分で３０秒間撹拌する。相の溶液が得られる、
○得られる前記相の溶液を、ポットライフは超過したが型から取り出す時間にはまだ達していない「貯蔵部兼支持体」シーケンスの上に、１ｍｍの厚みに流し込む、
○「粘着部」シーケンスとなるように重合を続行させる、
○このように得られるプラスター剤は、前記「粘着部」シーケンスを型から取り出す時間になったときに、型から取り出される。
【００５５】
得られる鎮静作用のあるプラスター剤は、非常に柔軟であり、また２ｍｍの厚みを呈する。プラスター剤は、織物製の装具にその粘着面で貼付される。該プラスター剤は、犬の腰の回りに固定される装具を使った成犬における不安症の治療を目的としており、毛並みに接触するプラスター剤である。
【実施例３】
【００５６】
「貯蔵部／支持体兼バリア／粘着部」のプロファイルを有するマトリックス製の、靴の先端部用の芳香性粘着パッド
【００５７】
この実施例は、有効成分を含有する貯蔵部シーケンス、支持体兼バリアシーケンス、および粘着部シーケンスである相次ぐ三つのシーケンスで構成されるマトリックスプロファイルにしたがった、靴用パッドのただ一面だけに粘着性機能をもたらす、有効成分を含むモノポリマーのマトリックスの生成を示している。
【００５８】
−実施例１のイソシアネートおよび長鎖ポリオールに、別の長鎖ポリオールＡＬＣＵＰＯＬ（登録商標）Ｄ−２０２１を加える。
【００５９】
−以下もまた利用することができる：
○消泡剤ＢＹＫ  ０８８、
○安定剤ＺＩＣＡ−ＣＵＶ（登録商標）、
○ＢＳＧ（登録商標）５１７７４のブランド名でＣＲＥＡＴＩＯＮＳ＆ＰＡＲＦＵＭ社によって販売されている香料。
【００６０】
−実施例１において利用されるのと同じ設備、および、窪みが長さ９．５ｃｍ、幅７ｃｍ、および深さ３ｍｍの足の先端用パッドである金属製の型を利用することができる。
【００６１】
操作方法：実施例１の操作方法に類似した操作方法にしたがって行われ、また触媒溶液は、実施例１におけるように調製される。
【００６２】
Ａ）化学量論ＯＨ／ＮＣＯ＝１の「貯蔵部」の相の溶液の調製
○反応装置の中に相次いで以下を導入する：
‐２.７５重量部の触媒溶液、
‐０．１３重量部の安定剤、
‐０．９１重量部の消泡剤、
‐４．５８重量部の香料、いわゆる有効成分および
‐８２．７６重量部の長鎖ポリオール（ＡＬＣＵＰＯＬ（登録商標）Ｃ−３５３１）。
○全てを１３００回転／分で３０秒間撹拌する。有効成分を含有するポリオール錯体が得られる、
○得られる前記ポリオール錯体の中に、化学量論ＮＣＯ／ＯＨ＝１にしたがって８．８７重量部のイソシアネートを添加し、１３００回転／分で３０秒間撹拌する。有効成分を含有する相の溶液が得られる、
○得られる前記相の溶液を型の中に１ｍｍの厚みに流し込み、「貯蔵部」シーケンスとなるように重合反応させる。
【００６３】
Ｂ）化学量論ＯＨ／ＮＣＯ＝１の「支持体兼バリア」の相の溶液の調製
○操作Ａ）に平行して、反応装置の中で以下を組み合わせることによってポリオール錯体を変更する：
‐１.９５重量部の触媒溶液、
‐０．４９重量部の消泡剤および
‐５９．６５重量部の長鎖ポリオール（ＡＬＣＵＰＯＬ（登録商標）Ｃ−３５３１）
○全てを１３００回転／分で３０秒間撹拌する。ポリオール錯体が得られる、
○前記ポリオール錯体の中に、化学量論ＯＨ／ＮＣＯ＝１にしたがって３７．９２重量部のイソシアネートを添加し、１３００回転／分で３０秒間撹拌する。相の溶液が得られる、
○得られる前記相の溶液を、ポットライフは超過したが型から取り出す時間にはまだ達していない「貯蔵部」シーケンスの上に、１ｍｍの厚みに流し込み、「支持体兼バリア」シーケンスとなるように重合反応させる。
【００６４】
Ｃ）化学量論ＯＨ／ＮＣＯ＝１.４の「粘着部」の相の溶液の調製
○操作Ｂ）に平行して、反応装置の中で以下を組み合わせることによってポリオール錯体を変更する：
‐３.０６重量部の触媒溶液、
‐０．１６重量部の安定剤、
‐１．０６重量部の消泡剤、
‐５３．５４重量部の操作Ａ）の長鎖ポリオール（ＡＬＣＵＰＯＬ（登録商標）Ｃ−３５３１）および
‐３３．８３重量部の操作Ａ）の長鎖ポリオール（ＡＬＣＵＰＯＬ（登録商標）Ｄ−２０２１）。
○１３００回転／分で３０秒間撹拌する。ポリオール錯体が得られる、
○得られる前記ポリオール錯体の中に、化学量論ＯＨ／ＮＣＯ＝１.４にしたがって８．２５重量部のイソシアネートを添加し、１３００回転／分で３０秒間撹拌する。相の溶液が得られる、
○得られる前記相の溶液を、ポットライフは超過したが型から取り出す時間にはまだ達していない「支持体兼バリア」シーケンスの上に、１ｍｍの厚みに流し込む、
○「粘着部」シーケンスとなるように重合を続行させる、
○このように得られるパッドは、前記「粘着部」シーケンスを型から取り出す時間になったときに、型から取り出される。
【００６５】
３ｍｍの厚みの、得られる芳香性パッドは、柔軟でありまた粘着力がある。前記パッドは、粘着部シーケンスの面で、靴底に貼付される。該パッドはまた靴の内側を芳香で満たすこともできる。マトリックスの力学的特性（柔軟性、弾性、および減衰性）によって、パッドは、着用者に快適さをもたらす。
【実施例４】
【００６６】
「貯蔵部／支持体兼バリア／粘着部兼貯蔵部」のプロファイルを有するマトリックス製の、健康および痩身作用のある粘着パッチ剤
【００６７】
この実施例は、ただ一面のみに粘着力のあるパッチ剤によってもたらされる、大気の影響による活性と経皮の影響による活性である二重活性を持つモノポリマーのマトリックスの生成を示している。前記パッチ剤は、揮発性の有効成分を含有する貯蔵部シーケンス、支持体兼バリアシーケンス、および経皮有効成分を含有する貯蔵部兼粘着部シーケンスである相次ぐ三つのシーケンスで構成されるマトリックスプロファイルを呈する。
【００６８】
実施例１のイソシアネートに、ＡＬＢＥＲＤＩＮＧＫ  ＢＯＬＥＹ社によって製造されＡＬＢＯＤＲＹ（登録商標）のブランド名で販売されている、ＭＷ＝７００で官能基数２の、植物油を主成分にした短鎖ポリオールを加える。
【００６９】
以下を利用することができる：
−ＭＷ＝４００で官能基数２の、エーテルを主成分にした短鎖ポリオールであって、より正確には（ＰＰＧ）タイプである。このポリオールは、ＤＯＷ  ＣＨＥＭＩＣＡＬ社によって製造され、ＶＯＲＡＮＯＬ  Ｐ４００のブランド名で販売されている。
−ＭＷ＝１０００で官能基数２の、ポリカーボネートを主成分にした長鎖ポリオール。この製品は、ＵＢＥ  ＣＨＥＭＩＣＡＬ社によって製造され、ＥＴＥＲＮＡＣＯＬＬ（登録商標）ＰＨ１００のブランド名で販売されている。
−１，４−ブタンジオールの化学名で既知である、ＭＷ＝９０で官能基数２の鎖延長剤
−消泡剤ＢＹＫ（登録商標）０６６。
−ＢＳＧ（登録商標）５１７７４のブランド名でＣＲＥＡＴＩＯＮＳ＆ＰＡＲＦＵＭ社によって販売されている香料。
−ＡＢ７  ＩＮＤＵＳＴＲＩＥＳ  Ｓ．Ａ．社によって配合組成を決められる、痩身作用のある無水カフェインの親油性調製物。
【００７０】
実施例１において利用されるのと同じ設備を利用することができる。
【００７１】
操作方法：実施例１の操作方法に類似した操作方法にしたがって行われ、また触媒溶液は、実施例１におけるように調製される。
【００７２】
Ａ）化学量論ＯＨ／ＮＣＯ＝１の「貯蔵部」の相の溶液の調製
○反応装置の中に相次いで以下を導入する：
‐１.５７重量部の触媒溶液、
‐０．８６重量部の鎖延長剤、
‐０．３９重量部の消泡剤、
‐１９．６１重量部の香料、いわゆる有効成分および
‐４９．８７重量部の短鎖ポリオール（ＡＬＢＯＤＲＹ（登録商標））
○全てを１３００回転／分で３０秒間撹拌する。有効成分を含有するポリオール錯体が得られる、
○前記ポリオール錯体の中に、化学量論ＯＨ／ＮＣＯ＝１にしたがって２７．７１重量部のイソシアネートを添加し、１３００回転／分で３０秒間撹拌する。有効成分である香料を含有する相の溶液が得られる、
○得られる前記相の溶液を型の中に１ｍｍの厚みに流し込み、「貯蔵部」シーケンスとなるように重合反応させる。
【００７３】
Ｂ）化学量論ＯＨ／ＮＣＯ＝１の「支持体兼バリア」の相の溶液の調製
○操作Ａ）に平行して、反応装置の中で以下を組み合わせることによってポリオール錯体を変更する：
‐１.９５重量部の触媒溶液、
‐０．４９重量部の消泡剤および
‐５２．５２重量部の短鎖ポリオール（ＶＯＲＡＮＯＬ（登録商標）Ｐ４００）
○１３００回転／分で３０秒間撹拌する。ポリオール錯体が得られる。
○得られる前記ポリオール錯体の中に、化学量論ＯＨ／ＮＣＯ＝１にしたがって４５．０４重量部のイソシアネートを添加し、１３００回転／分で３０秒間撹拌する。相の溶液が得られる、
○得られる前記相の溶液を、ポットライフは超過したが型から取り出す時間には達していない「貯蔵部」シーケンスの上に、１ｍｍの厚みに流し込む、
○「支持体兼バリア」シーケンスとなるように重合反応を続行させる。
【００７４】
Ｃ）化学量論ＯＨ／ＮＣＯ＝１.５の「貯蔵部兼粘着部」の相の溶液の調製
○操作Ｂ）に平行して、反応装置の中で以下を組み合わせることによってポリオール錯体を変更する：
‐１.７８重量部の触媒溶液、
‐０．４４重量部の消泡剤、
‐８．８９重量部の無水カフェインの親油性調製物、いわゆる有効成分および
‐７２．３５重量部の長鎖ポリオール（ＥＴＥＲＮＡＣＯＬＬ（登録商標）ＰＨ１００）。
○全てを１３００回転／分で３０秒間撹拌する。有効成分を含有するポリオール錯体が得られる、
○前記ポリオール錯体の中に、化学量論ＯＨ／ＮＣＯ＝１.５にしたがって１６．５４重量部のイソシアネートを添加し、１３００回転／分で３０秒間撹拌する。有効成分を含有する相の溶液が得られる、
○得られる前記相の溶液を、ポットライフは超過したが型から取り出す時間には達していない「支持体兼バリア」シーケンスの上に、１ｍｍの厚みに流し込む、
○「貯蔵部兼粘着部」シーケンスとなるように重合を続行させる、
○得られるパッチ剤は、前記「貯蔵部兼粘着部」シーケンスを型から取り出す時間になったときに、型から取り出される。
【００７５】
得られる健康および痩身作用のあるパッチ剤は、非常に柔軟で、カフェインを含有する「貯蔵部兼粘着部」シーケンスの面に粘着力がある。前記パッチ剤は、３ｍｍの厚みを呈する。前記パッチ剤の有効成分を含有するマトリックスは、「貯蔵部」シーケンスの中にある香料を揮発性によって放出する特性、前記パッチ剤が「貯蔵部兼粘着部」シーケンスの面で皮膚の上に押し当てられるとき「貯蔵部兼粘着部」シーケンスの中にあるカフェインの配合組成を経皮法によって放出する特性を有する。二つの「貯蔵部」シーケンスの間に挿入される「支持体兼バリア」シーケンスは、カフェインが「貯蔵部」シーケンスの方に移動することおよび香料が「貯蔵部兼粘着部」の相の方に移動することを同時に防ぐバリアの役割を果たす。前記パッチ剤は、人間の痩身のための処置を目的としている。
【実施例５】
【００７６】
「貯蔵部／支持体兼バリア／粘着部」のプロファイルを有するマトリックス製の、コドリンガ用誘引粘着プレート
【００７７】
この実施例は、プレートのただ一面だけへの粘着性機能と、フェロモンを含有する貯蔵部シーケンス、支持体兼バリアシーケンス、および粘着部シーケンスである相次ぐ三つのシーケンスで構成されるプロファイルとをもたらすモノポリマーマトリックスの生成を示している。
【００７８】
実施例１のイソシアネートに、ＭＷ＝２０００で官能基数２の、エーテルを主成分にした長鎖ポリオール、より正確にはＰＴＭＥＧタイプを加える。このポリオールは、ＦＯＲＭＯＳＡ  ＡＳＡＨＩ  ＳＰＡＮＤＥＸ社によって製造され、Ｐ２０００  ＢＸ（登録商標）のブランド名で販売されている。
【００７９】
以下を利用することができる：
−ＭＷ＝１４９で官能基数３の鎖延長剤である、ＢＡＳＦ社によって製造されるＴＲＩＥＴＨＡＮＯＬＡＭＩＮＥ。
−消泡剤ＢＹＫ（登録商標）０６６
−ＳＨＩＮ‐ＥＴＳＵ社によって製造される性フェロモンを含む親油性調製物。
【００８０】
実施例１において利用されるのと同じ設備を利用することができる。
【００８１】
操作方法：実施例１の操作方法に類似した操作方法にしたがって行われ、また触媒溶液は、実施例１におけるように調製される。
【００８２】
Ａ）化学量論ＯＨ／ＮＣＯ＝１の「貯蔵部」の相の溶液の調製
○反応装置の中にこの順番で以下を導入する：
‐１.９１重量部の触媒溶液、
‐０．７８重量部の延長剤、
‐０．４８重量部の消泡剤、
‐１．９１重量部のフェロモン、いわゆる有効成分および
‐７９．４８重量部の操作Ａ）の長鎖ポリオール。
○１３００回転／分で３０秒間撹拌する。フェロモンを含有するポリオール錯体が得られる。
○得られる前記ポリオール錯体の中に、化学量論ＯＨ／ＮＣＯ＝１にしたがって１５．４３重量部のイソシアネートを添加し、１３００回転／分で３０秒間撹拌する。有効成分を含有する相の溶液が得られる、
○得られる前記相の溶液を、「貯蔵部」シーケンスとなるように１ｍｍの厚みに流し込む。
【００８３】
Ｂ）化学量論ＯＨ／ＮＣＯ＝１の「支持体兼バリア」の相の溶液の調製
○操作Ａ）に平行して、反応装置の中で以下を組み合わせることによってポリオール錯体を変更する：
‐１.９５重量部の触媒溶液、
‐０．４９重量部の消泡剤および
‐５９．６５重量部の長鎖ポリオール
○全てを１３００回転／分で３０秒間撹拌する。ポリオール錯体が得られる、
○前記ポリオール錯体の中に、化学量論ＯＨ／ＮＣＯ＝１にしたがって３７．９２重量部のイソシアネートを添加し、１３００回転／分で３０秒間撹拌する。相の溶液が得られる、
○得られる前記相の溶液を、ポットライフは超過したが型から取り出す時間にはまだ達していない「貯蔵部」シーケンスの上に、１ｍｍの厚みに流し込み、それから「支持体兼バリア」シーケンスとなるように重合反応を続行させる。
【００８４】
Ｃ）化学量論ＯＨ／ＮＣＯ＝１.５の「粘着部」の相の溶液の調製
○平行して、反応装置の中で以下を組み合わせることによってポリオール錯体を変更する：
‐１.９５重量部の触媒溶液、
‐０．４９重量部の消泡剤および
‐６８．５３重量部の操作Ａ）の長鎖ポリオール。
○全てを１３００回転／分で３０秒間撹拌する。ポリオール錯体が得られる、
○前記ポリオール錯体の中に、化学量論ＯＨ／ＮＣＯ＝１.５にしたがって２９．０４重量部のイソシアネートを添加し、１３００回転／分で３０秒間撹拌する。相の溶液が得られる、
○得られる前記相の溶液を、ポットライフは超過したが型から取り出す時間には達していない「支持体兼バリア」シーケンスの上に、１ｍｍの厚みに流し込む、
○「粘着部」シーケンスとなるように重合を続行させる、
○このように得られるプレートは、前記「粘着部」シーケンスを型から取り出す時間になったときに、型から取り出される。
【００８５】
３ｍｍの厚みの得られるプレートは、柔軟でありまた「粘着部」シーケンスの面に粘着力がある。りんごの木の枝に貼付される前記プレートは、コドリンガの雄が混同を引き起こすように制御される量の性フェロモンを放出することによる、コドリンガに対するりんごの木の処置を目的としている。
【実施例６】
【００８６】
「粘着部／支持体兼貯蔵部」のプロファイルを有するマトリックス製の、「吸盤」付き芳香性粘着板
【００８７】
この実施例は、粘着部シーケンスと有効成分を含有する支持体兼貯蔵部シーケンスとである相次ぐ二つのシーケンスで構成されるプロファイルにしたがった、「粘着部」シーケンスの断続的な面によって支えられる粘着吸盤によって粘着性機能をもたらす、有効成分を含むモノポリマーのマトリックスの生成を示している。高さ０．５ｍｍの吸盤は、支持体兼貯蔵部の下での空気の循環を可能にする。
【００８８】
実施例１のイソシアネートに、長鎖ポリオールＡＬＣＵＰＯＬ（登録商標）Ｃ−３５３１を加える。
【００８９】
ＳＨＧ（登録商標）６１５６２のブランド名でＣＲＥＡＴＩＯＮＳ＆ＰＡＲＦＵＭ社によって販売されている香料を利用することができる。
【００９０】
実施例１において利用されるのと同じ設備と、厚みが１ｃｍで直径が１５ｃｍの開かれた円形ディスクから成るＰＰ製の型とを利用することができるが、該ディスクの内部は、直径１．５ｃｍで深さ０．５ｍｍの五つの穴が分配されている。
【００９１】
操作方法：実施例１の操作方法に類似した操作方法にしたがって行われ、また触媒溶液は実施例１におけるように調製される。
【００９２】
Ａ）化学量論ＯＨ／ＮＣＯ＝１.５の「粘着部」の相の溶液の調製
○反応装置の中に相次いで以下を導入する：
‐１.９６重量部の触媒溶液、
‐９１．５０重量部の長鎖ポリオール。
○全てを１３００回転／分で３０秒間撹拌する。ポリオール錯体が得られる、
○得られる前記ポリオール錯体の中に、化学量論ＯＨ／ＮＣＯ＝１.５にしたがって６．５４重量部のイソシアネートを添加し、次いで１３００回転／分で３０秒間撹拌する。相の溶液が得られる、
○得られる前記相の溶液を、型の穴の中に、５ｍｍの深さにただ流し込む、
○「粘着部」シーケンスとなるように重合反応を続行させる。
【００９３】
Ｂ）化学量論ＯＨ／ＮＣＯ＝１の「貯蔵部兼支持体」の相の溶液の調製
操作Ａ）に平行して、反応装置の中で以下を組み合わせることによってポリオール錯体を変更する：
‐１.６４重量部の触媒溶液、
‐１６．３９重量部の香料、いわゆる有効成分、
‐７４．０３重量部の操作Ａ）の長鎖ポリオール。
○１３００回転／分で３０秒間撹拌する。有効成分を含有するポリオール錯体が得られる、
○得られる前記ポリオール錯体の中に、化学量論ＯＨ／ＮＣＯ＝１にしたがって７．９３重量部のイソシアネートを添加し、それから１３００回転／分で３０秒間撹拌する。有効成分を含有する相の溶液が得られる、
○得られる前記相の溶液を、ポットライフは超過したが型から取り出す時間にはまだ達していない「粘着部」シーケンスの上に、１ｃｍの厚みに流し込む、
○「貯蔵部兼支持体」シーケンスとなるように重合を続行させる、
○このように得られる板は、前記「貯蔵部兼支持体」シーケンスを型から取り出す時間になったときに、型から取り出される。
【００９４】
１ｃｍの厚みの、得られる芳香性板は、非常に柔軟でありまた長さ５ｍｍの粘着スパイクを呈している。前記板は、「貯蔵部兼支持体」シーケンスの二面での香料の放出によって部屋を芳香で満たすことを目的としている。
【先行技術文献】
【特許文献】
【００９５】
【特許文献１】欧州特許第０３４１２０２号明細書
【特許文献２】米国特許出願公開第２０１１／０３８９０４号明細書
【特許文献３】欧州特許第２１９１８１０号明細書
【特許文献４】欧州特許第１２６３８３０号明細書